(57)【要約】    【課題】  主走査方向の印字位置ずれを低減でき、高精細な画像が形成できる簡易な構成の光走査装置及びそれを用いた画像形成装置を得ること。    【解決手段】  Ｎ個（Ｎは２以上の整数）の発光部を副走査・主走査方向に対して各々傾けて配列した光源手段とＮ個の発光部からのＮ個の光束を偏向走査する偏向手段とＮ個の光束を偏向手段に導光する入射光学系と偏向走査されたＮ個の光束を被走査面に導光する結像光学系と偏向走査された光束の一部を検出して被走査面の上におけるＮ個の光束の書き出しタイミング信号を生成する同期信号検出手段と偏向手段からのＮ個の光束を同期信号検出手段に導光する同期検出用光学系とを有し、同期信号検出手段はＮ個の発光部のうち同期信号検出手段に入射する光束の光量が最も少ない光量を発する発光部以外の発光部からの光束を検出して書き出しタイミング信号を決定すること。【選択図】    図１
2008225060.tif 000002
【特許請求の範囲】
【請求項１】
Ｎ個（Ｎは２以上の整数）の発光部を副走査方向と主走査方向に対して各々傾けて配列した光源手段と、
該Ｎ個の発光部からのＮ個の光束を偏向走査する偏向手段と、
該光源手段からのＮ個の光束を該偏向手段に導光する入射光学系と、
該偏向手段で偏向走査されたＮ個の光束を被走査面に導光する結像光学系と、
該偏向手段で偏向走査された光束の一部を検出して該被走査面の上におけるＮ個の光束の書き出しタイミング信号を生成する同期信号検出手段と、
該偏向手段からのＮ個の光束を該同期信号検出手段に導光する同期検出用光学系と、を有する光走査装置において、
該同期信号検出手段は、Ｎ個の発光部のうち該同期信号検出手段に入射する光束の光量が最も少ない光量を発する発光部以外の発光部からの光束を検出して書き出しタイミング信号を決定することを特徴とする光走査装置。
【請求項２】
Ｎ個（Ｎは２以上の整数）の発光部を副走査方向と主走査方向に対して各々傾けて配列した光源手段Ｍ個（Ｍは２以上の整数）と、
Ｎ×Ｍ個の発光部からのＮ×Ｍ個の光束を偏向走査する偏向手段と、
該光源手段からのＮ×Ｍ個の光束を該偏向手段に導光する入射光学系と、
該偏向手段で偏向走査されたＮ×Ｍ個の光束を被走査面に導光する結像光学系と、
該偏向手段で偏向走査された光束の一部を検出して該被走査面の上におけるＮ×Ｍ個の光束の書き出しタイミング信号を生成する同期信号検出手段と、
該偏向手段からのＮ×Ｍ個の光束を該同期信号検出手段に導光する同期検出用光学系と、を有する光走査装置において、
該同期信号検出手段は、Ｎ個の発光部のうち該同期信号検出手段に入射する光束の光量が最も少ない光量を発する発光部以外の発光部からの光束を検出して書き出しタイミング信号を決定することを特徴とする光走査装置。
【請求項３】
Ｎ個（Ｎは２以上の整数）の発光部を主走査方向と副走査方向に対して各々傾けて配列した光源部を副走査方向にＳ個（Ｓは２以上の整数）配列した光源手段と、
Ｎ×Ｓ個の発光部からのＮ×Ｓ個の光束を偏向走査する偏向手段と、
該光源手段からのＮ×Ｓ個の光束を該偏向手段に導光する入射光学系と、
該偏向手段で偏向走査されたＮ×Ｓ個の光束を被走査面に導光する結像光学系と、
該偏向手段で偏向走査された光束の一部を検出して該被走査面の上におけるＮ×Ｓ個の光束の書き出しタイミング信号を生成する同期信号検出手段と、
該偏向手段からのＮ×Ｓ個の光束を該同期信号検出手段に導光する同期検出用光学系と、を有する光走査装置において、
該同期信号検出手段は、Ｎ個の発光部のうち該同期信号検出手段に入射する光束の光量が最も少ない光量を発する発光部以外の発光部からの光束を検出して書き出しタイミング信号を決定することを特徴とする光走査装置。
【請求項４】
前記偏向手段は、光束を偏向走査する回転多面鏡を有し、前記書き出しタイミング信号はＮ個の発光部からの光束のうち、前記被走査面を最も後に走査する発光部からの光束を検出して決定されていることを特徴とする請求項１乃至３のいずれか１項に記載の光走査装置。
【請求項５】
前記被走査面の上に換算したときの前記同期検出用光学系の書き出しタイミングを検知する像高をＹＢＤ、前記光源手段のＮ個の発光部の主走査方向の最大距離をＷ、前記入射光学系の主走査断面内の焦点距離をｆcol、前記結像光学系の主走査断面内の焦点距離をｆｆθ、前記被走査面の上の有効画像幅をＹＷとするとき、
｜ＹＢＤ｜≧Ｗ×ｆｆθ／ｆcol  ＋｜ＹＷ／２｜
なる条件を満足することを特徴とする請求項１乃至４のいずれか１項に記載の光走査装置。
【請求項６】
前記光源手段は面発光レーザーであることを特徴とする請求項１乃至５のいずれか１項に記載の光走査装置。
【請求項７】
前記書き出しタイミング信号の検知用に用いられない光束に対する書き出しタイミング信号は、該書き出しタイミング信号を検出する光束の書き出しタイミング信号を基準に、予め定められていることを特徴とする請求項１乃至３のいずれか１項に記載の光走査装置。
【請求項８】
前記入射光学系からの光束は、前記偏向手段の偏向面の主走査方向の幅より広い光束であることを特徴とする請求項１乃至３のいずれか１項に記載の光走査装置。
【請求項９】
請求項１乃至８のいずれか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】
請求項１乃至８のいずれか１項に記載の光走査装置と、外部機器から入力したコードデータを画像信号に変換して前記光走査装置に入力せしめるプリンタコントローラとを有していることを特徴とする画像形成装置。
【発明の詳細な説明】
【技術分野】
【０００１】
本発明は光走査装置及びそれを用いた画像形成装置に関し、電子写真プロセスを有するレーザービームプリンタやデジタル複写機やマルチファンクションプリンタ（多機能プリンタ）の画像形成装置に好適なものである。
【背景技術】
【０００２】
従来、複数の発光部（発光点）を有する光源手段（多ビーム光源）からの複数の光束を被走査面としての感光ドラム（感光体）面上にスポット形成する光走査装置が種々と提案されている。これら光走査装置における被走査面の上の主走査方向の書き出し位置を検知（同期検知）する方法は、大別すると以下の２つの方法で行なわれていた。
【０００３】
（ａ）全発光部から射出された光束（ビーム）を用いて同期検知を行うタイプ（特許文献１、２参照）
（ｂ）全発光部から射出された光束のうちの走査上流側（走査開始側）に配置される１つの発光部から射出された光束を用いて同期検知を行うタイプ（特許文献３参照）
上記タイプ(a)、(b)のいずれの方法においても、被走査面の上の主走査方向の書き出し位置を検知する同期検出用光束は、画像有効領域外に向かう光束を用いる必要がある。そのため、同期検出用光束が光偏向器である回転多面鏡（ポリゴンミラー）の偏向面でケラレないようにするために、該回転多面鏡の径を大きくする必要があった。そのため、多ビーム光源を用いた光走査装置では、装置を小型化することが困難であった。
【０００４】
同期検出用光束のケラレ量が大きい場合には、特許文献１で開示されているように光量低下により同期信号検出手段としての同期検出用センサーの検出動作の立ち上がり及び立下がり特性が悪くなり、検知タイミングにばらつきが生じるという問題点がある。
【０００５】
以上のように、同期検出用光束に光量低下が起こると、被走査面の上において、主走査方向の印字位置ずれが発生し、モアレやジッタ−の画像不良が生じる。また異なる複数の画像を重ね合わせて画像形成を行うカラー画像形成装置においては、色ごとに印字位置ずれが生じる、所謂色ずれが発生する。
【特許文献１】特開２０００−２３５１５４号公報
【特許文献２】特開２００４−２３３８２４号公報
【特許文献３】特公昭６２−５９５０６号公報
【発明の開示】
【発明が解決しようとする課題】
【０００６】
上記タイプ（ａ）で同期検知を行っている、特許文献１、２に開示されている技術は、
(1)マルチビームの全ビームで同期検知を行っているため、主走査方向に間隔の広い多ビーム光源を用いた場合、同期検出用光束のケラレを低減するために回転多面鏡（ポリゴンミラー）を大きくする必要がある。
【０００７】
(2)主走査方向に間隔の広い多ビーム光源を用いた場合、ケラレの大きい光束でも同期検知を行う必要があり、同期検出用センサーへ入射する光束の光量が低下し、印字位置ズレが大きくなる。このため精度の高い同期検出用センサーを使用する必要がある。
【０００８】
(3)複数の光束が同時に同期検出用センサーに入射しないように、光源手段の発光部の配列や同期検出用光学系の倍率に制約を設ける必要があり、光学系設計の自由度が少なくなる。
という種々の問題点がある。
【０００９】
また、上記タイプ（ｂ）に示すように主走査方向に先行する光束のみで同期検知を行う場合は、
(1)高精細な画像形成を行うためには、同期検出用光束のケラレが発生しないように回転多面鏡（ポリゴンミラー）の径を大きくする必要がある。
【００１０】
(2)より広画角の走査を実現する場合には、ケラレ量の大きい光束で同期検知を行う必要がある。
【００１１】
よって、前述したように光走査装置全体が大型化することや精度の高い同期検出用センサーを使用しなければならないという問題点がある。
【００１２】
本発明は被走査面の上における主走査方向の印字位置ずれを低減でき、高精細な画像が形成できる簡易な構成の光走査装置及びそれを用いた画像形成装置の提供を目的とする。
【課題を解決するための手段】
【００１３】
請求項１の発明の光走査装置は、
Ｎ個（Ｎは２以上の整数）の発光部を副走査方向と主走査方向に対して各々傾けて配列した光源手段と、
該Ｎ個の発光部からのＮ個の光束を偏向走査する偏向手段と、
該光源手段からのＮ個の光束を該偏向手段に導光する入射光学系と、
該偏向手段で偏向走査されたＮ個の光束を被走査面に導光する結像光学系と、
該偏向手段で偏向走査された光束の一部を検出して該被走査面の上におけるＮ個の光束の書き出しタイミング信号を生成する同期信号検出手段と、
該偏向手段からのＮ個の光束を該同期信号検出手段に導光する同期検出用光学系と、を有する光走査装置において、
該同期信号検出手段は、Ｎ個の発光部のうち該同期信号検出手段に入射する光束の光量が最も少ない光量を発する発光部以外の発光部からの光束を検出して書き出しタイミング信号を決定することを特徴としている。
【００１４】
請求項２の発明の光走査装置は、
Ｎ個（Ｎは２以上の整数）の発光部を副走査方向と主走査方向に対して各々傾けて配列した光源手段Ｍ個（Ｍは２以上の整数）と、
Ｎ×Ｍ個の発光部からのＮ×Ｍ個の光束を偏向走査する偏向手段と、
該光源手段からのＮ×Ｍ個の光束を該偏向手段に導光する入射光学系と、
該偏向手段で偏向走査されたＮ×Ｍ個の光束を被走査面に導光する結像光学系と、
該偏向手段で偏向走査された光束の一部を検出して該被走査面の上におけるＮ×Ｍ個の光束の書き出しタイミング信号を生成する同期信号検出手段と、
該偏向手段からのＮ×Ｍ個の光束を該同期信号検出手段に導光する同期検出用光学系と、を有する光走査装置において、
該同期信号検出手段は、Ｎ個の発光部のうち該同期信号検出手段に入射する光束の光量が最も少ない光量を発する発光部以外の発光部からの光束を検出して書き出しタイミング信号を決定することを特徴としている。
【００１５】
請求項３の発明の光走査装置は、
Ｎ個（Ｎは２以上の整数）の発光部を主走査方向と副走査方向に対して各々傾けて配列した光源部を副走査方向にＳ個（Ｓは２以上の整数）配列した光源手段と、
Ｎ×Ｓ個の発光部からのＮ×Ｓ個の光束を偏向走査する偏向手段と、
該光源手段からのＮ×Ｓ個の光束を該偏向手段に導光する入射光学系と、
該偏向手段で偏向走査されたＮ×Ｓ個の光束を被走査面に導光する結像光学系と、
該偏向手段で偏向走査された光束の一部を検出して該被走査面の上におけるＮ×Ｓ個の光束の書き出しタイミング信号を生成する同期信号検出手段と、
該偏向手段からのＮ×Ｓ個の光束を該同期信号検出手段に導光する同期検出用光学系と、を有する光走査装置において、
該同期信号検出手段は、Ｎ個の発光部のうち該同期信号検出手段に入射する光束の光量が最も少ない光量を発する発光部以外の発光部からの光束を検出して書き出しタイミング信号を決定することを特徴としている。
【００１６】
請求項４の発明は請求項１乃至３のいずれか１項の発明において、
前記偏向手段は、光束を偏向走査する回転多面鏡を有し、前記書き出しタイミング信号はＮ個の発光部からの光束のうち、前記被走査面を最も後に走査する発光部からの光束を検出して決定されていることを特徴としている。
【００１７】
請求項５の発明は請求項１乃至４のいずれか１項の発明において、
前記被走査面の上に換算したときの前記同期検出用光学系の書き出しタイミングを検知する像高をＹＢＤ、前記光源手段のＮ個の発光部の主走査方向の最大距離をＷ、前記入射光学系の主走査断面内の焦点距離をｆcol、前記結像光学系の主走査断面内の焦点距離をｆｆθ、前記被走査面の上の有効画像幅をＹＷとするとき、
｜ＹＢＤ｜≧Ｗ×ｆｆθ／ｆcol  ＋｜ＹＷ／２｜
なる条件を満足することを特徴としている。
【００１８】
請求項６の発明は請求項１乃至５のいずれか１項の発明において、
前記光源手段は面発光レーザーであることを特徴としている。
【００１９】
請求項７の発明は請求項１乃至３のいずれか１項の発明において、
前記書き出しタイミング信号の検知用に用いられない光束に対する書き出しタイミング信号は、該書き出しタイミング信号を検出する光束の書き出しタイミング信号を基準に、予め定められていることを特徴としている。
【００２０】
請求項８の発明は請求項１乃至３のいずれか１項の発明において、
前記入射光学系からの光束は、前記偏向手段の偏向面の主走査方向の幅より広い光束であることを特徴としている。
【００２１】
請求項９の発明の画像形成装置は、
請求項１乃至８のいずれか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写器と、転写されたトナー像を被転写材に定着させる定着器とを有することを特徴としている。
【００２２】
請求項１０の発明の画像形成装置は、
請求項１乃至８のいずれか１項に記載の光走査装置と、外部機器から入力したコードデータを画像信号に変換して前記光走査装置に入力せしめるプリンタコントローラとを有していることを特徴としている。
【発明の効果】
【００２３】
本発明によれば被走査面の上における主走査方向の印字位置ずれを低減でき、高精細な画像が形成できる簡易な構成の光走査装置及びそれを用いた画像形成装置を達成することができる。
【発明を実施するための最良の形態】
【００２４】
以下、図面を用いて本発明の実施例を説明する。
【実施例１】
【００２５】
図１は本発明の実施例１の主走査方向の要部断面図（主走査断面図）である。
【００２６】
尚、以下の説明において、主走査方向（Ｙ方向）とは偏向手段の軸及び結像光学系の光軸（Ｘ方向）に垂直な方向（偏向手段で光束が反射偏向（偏向走査）される方向）である。副走査方向（Ｚ方向）とは偏向手段の軸と平行な方向である。主走査断面とは結像光学系の光軸と主走査方向とを含む平面である。副走査断面とは主走査断面に垂直な断面である。
【００２７】
図中、１は光源手段であり、直線方向（一次元方向）にＮ個（Ｎは２以上の整数）の発光部（発光点）を副走査方向と主走査方向に対して各々傾けて配列したＶＣＳＥＬ（面発光レーザー）より成っている。本実施例における光源手段１は後述する図２に示すように直線方向に１６個の発光部(1)〜(16)を副走査方向と主走査方向に対して各々傾けて配列している。
【００２８】
２は第１の開口絞りであり、光源手段１から射出したＮ本の光束（本実施例では１６本）を副走査方向のみ光束幅を規制している。３はコリメータレンズであり、開口絞り２を通過したＮ本の光束を主走査、副走査ともに平行光束に変換している。４はシリンドリカルレンズであり、副走査方向のみに屈折力を有している。５は主走査方向に光束幅を規制する第２の開口絞りであり、副走査方向はビーム幅より広い開口幅になっている。
【００２９】
尚、第１の開口絞り２、コリメータレンズ３、シリンドリカルレンズ４、第２の開口絞り５の各要素は第１光学手段としての入射光学系ＬＡの一要素を構成している。またコリメータレンズ３、シリンドリカルレンズ４を１つの光学素子（アナモフィックレンズ）で構成しても良い。
【００３０】
６は偏向手段としての光偏向器であり、回転多面鏡（ポリゴンミラー）より成り、モータより成る駆動手段（不図示）により図中矢印Ａ方向に一定速度で回転している。
【００３１】
ＬＢは結像光学系(ｆθレンズ系)であり、ｆθ特性を有する第１、第２の結像レンズ１１a、１１ｂを有している。結像光学系ＬＢは副走査断面内において光偏向器６の偏向面６ａと被走査面としての感光ドラム面１２との間を共役関係にすることにより、光偏向器の面倒れ補償を行っている。１２は記録媒体としての感光体である。
【００３２】
7は同期検出用の反射ミラー（以下、「同期検出用ミラー」と記す。）であり、同期検出用の光束（以下、「同期検出用光束」と記す。）を後述する同期信号検出手段１０側へ反射させている。
【００３３】
この同期検出用ミラー７は同期信号検出手段１０へ導かれた光束を折り返すためのものであり、装置全体の小型化を図るために配置されている。
【００３４】
８は同期検出用の結像レンズ（以下、「同期検出用レンズ」と記す。）であり、感光ドラム面１２上の走査開始位置のタイミングを決定するための同期検出用光束を主走査断面内及び副走査断面内において共に後述する同期検出用のスリット９面上に結像させている。
【００３５】
つまり、同期検出用レンズ８は主走査断面内においては同期検出用のスリット９面上に結像させ、副走査断面内においては光偏向器６の偏向面６ａと同期検出用のスリット９面とを共役関係にすることにより、光偏向器６の偏向面６ａの面倒れ補償を行なっている。
【００３６】
９は、同期検出決定手段である同期検出用のスリット（以下、「同期検出用スリット」と記す。）であり、同期検出用レンズ７の結像位置に配置されている。
【００３７】
この同期検出用スリット９は端部がナイフエッジ状で形成され、主走査方向へ2走査される同期検出用レンズ８により結像されたスポットが同期信号検出手段１０面に入射する位置を決めている。
【００３８】
尚、同期検出用スリット９の端部をナイフエッジ状に形成したのは同期信号検出手段１０の受光面の端部で同期検出用光束をけるより同期検出用スリット９のナイフエッジでけった方が同期検出精度は高くなるからである。但し、同期検出用スリット９を用いず、同期信号検出手段１０の端部で同期検出用スリットを代用しても本発明と同様の効果を得られることは自明である。
【００３９】
１０は同期信号検出手段としての光センサー（以下、「同期検出用センサー」と記す。）であり、光偏向器６で偏向走査された光束の一部を検出して被走査面１２上におけるＮ個（１６個）の光束の書き出しタイミング信号（同期信号）を生成している。
【００４０】
尚、同期検出用ミラー７、同期検出用レンズ８、そして同期検出用スリット９の各要素は第２光学手段としての同期検出用光学系ＬＣの一要素を構成しており、光偏向器６からの１６個の光束を同期検出用センサー１０に導光している。
【００４１】
本実施例において画像情報に応じて光源手段１より光変調され射出した１６本の光束は開口絞り２によってその光束断面の大きさが制限され、コリメータレンズ３により平行光束に変換され、シリンドリカルレンズ４に入射する。シリンドリカルレンズ４に入射した光束のうち主走査断面内においてはそのままの状態で射出する。このときの平行光束の光束幅は主走査方向において光偏向器６の偏向面６ａのファセット幅に対し十分広くなるように設定している（オーバーフィルド光学系  ＯＦＳ）。
【００４２】
また副走査断面内においては収束して開口絞り５によってその光束断面の大きさが制限され、光偏向器６の偏向面６ａに線像（主走査方向に長手の線像）として結像する。
【００４３】
そして光偏向器６の偏向面６ａで反射偏向された１６本の光束は第１、第２の結像レンズ１１ａ、１１ｂにより感光ドラム面１２上(被走査面の上)にスポット状に結像する。そして光偏向器６を矢印Ａ方向に回転させることによって、該感光ドラム面１２上を矢印Ｂ方向（主走査方向）に等速度で光走査している。これにより記録媒体である感光ドラム面１２上(感光体上)に画像記録を行っている。
【００４４】
このとき感光ドラム面１２上を光走査する前に該感光ドラム面１２上の走査開始位置のタイミングを決定する為に、光偏向器６で反射偏向された光束を同期検出用ミラー７を介して同期検出用レンズ８により同期検出用スリット９面上に集光させる。そして同期検出用スリット９面上に集光させた同期検出用光束を同期検出用センサー１０に導光している。そして同期検出用センサー１０からの出力信号を検知して得られた同期信号を用いて感光ドラム面１２上への画像記録の走査開始位置のタイミング信号を決定している。
【００４５】
図２は、本実施例の光源手段１をコリメータレンズ３側から見た拡大図である。
【００４６】
同図において、発光部(1)から発光部(16)は直線状に１６個の発光部を等間隔に配置された面発光レーザー（VCSEL）である。各発光部の間隔は60μmであり、各発光部からの光束が感光ドラム面上で副走査方向に1200dpi（21.2μm）の間隔で配列するように、Ｙ軸に対して15°傾けて配置している。
【００４７】
図３は本発明の実施例１の光偏向器周辺を拡大した主走査断面図であり、同期検出用センサーへ向かう光束と光偏向器の偏向面との関係を示している。図３において図１に示した要素と同一要素には同符番を付している。
【００４８】
図３において、２０１はコリメータレンズ３の光軸、２０２は発光部(1)から出射された光束の主光線（第２の開口絞り５の中心を通る光線）、２０３は発光部(16)から出射された光束を示している。２０４はコリメータレンズ３の光軸２０１と結像光学系ＬＢの光軸の交点であり、以下「軸上偏向点」と記す。２０５は結像光学系ＬＢの光軸であり、画像中心へ向かう光束の主光線と平行な直線である。２１０は画像中心へ向かう光束を偏向する際の偏向面の状態を示している。２１１は同期検出用スリット９の中心に向かう光束を偏向する場合の偏向面６ａの状態を示している。
【００４９】
本実施例では発光部(1)及び発光部(16)から出射した光束の主光線とコリメータレンズ３の光軸２０１との成す角度θが１degになっている。角度θは発光部(1)から発光部(16)までの主走査方向の幅Ｗと、コリメータレンズ３の焦点距離fcolにより
【００５０】
【数１】
2008225060.tif 000003
【００５１】
で計算できる。
【００５２】
発光部(1)から出射された光束（ビーム）と発光部(16)から出射された光束（ビーム）では入射角（コリメータレンズ３の光軸２０１と結像光学系ＬＢの光軸２０５とのなす角）が異なる。従って、被走査面１２上では発光部(1)から出射した光束が走査上流側の光束、発光部(16)から出射した光束が走査下流側の光束となる。
【００５３】
発光部(1)から出射した光束２０３は、発光部（16）から出射した光束２０２と光軸201を挟んで反対方向に１deg.の角度を有しているため、偏向面６ａでのケラレが発生する。同期検出用センサー１０へ向かう光束の光束幅が発光部(1)から出射した光束の光束幅より狭くなると、同期検出用スリット９上のスポット径が大きくなると共に、光量が低下するので同期検知精度が劣化する。従って本実施例では発光部(16)から出射した光束で同期検知を行っている。
【００５４】
同期検出用ミラー７に向かう光束２００は光源手段１から出射され、光偏向器６の偏向面６ａが矢印Ａ方向に回転して状態２１１のときに走査角が５４degで同期検出用スリット９の中心に光束が向かうように構成されている。ここで走査角とは光束２００の主光線と結像光学系ＬＢの光軸２０５との成す角である。
【００５５】
尚、本実施例の第２の開口絞り５は軸上偏向点２０４（コリメータレンズ３の光軸２０１と結像光学系ＬＢの光軸２０５との交点）から２２．５ｍｍの位置に配置されている。
【００５６】
本実施例における光走査装置の設計値を表−１に示す。
【００５７】
【表１】
2008225060.tif 000004
【００５８】
図４は同期信号と走査開始位置のタイミングとの関係を示すタイミングチャートである。
【００５９】
本実施例では回転多面鏡（ポリゴンミラー）６の偏向面６ａによるケラレ（光束幅の低減）が生じない発光部(16)からの光束を同期検出用センサー１０に入射させ、書き出しタイミング信号（書き出し位置）を決定している。
【００６０】
図４において、「同期信号」は同期検出用センサー１０に光束が入射したときに発生する信号である。図４において、発光部(16)から出射した光束が同期検出用スリット９を主走査方向に横切り、同期信号が状態Ｌｏに変化してからｔ１秒後に発光部(1)から出射した光束は画像信号がＯＮになり、画像を書き始める。同様に発光部(2)から出射した光束の画像信号はｔ２秒後にＯＮになり、画像を書き出す。以下、同様に全ビームの画像書き出しタイミング信号は発光部(16)から出射した光束の同期信号のみにより決定されている。
【００６１】
次に時間ｔ１〜ｔ１６の決定方法について説明する。
【００６２】
本実施例では、各光束の画像信号がＯＮになるまでの時間ｔ１〜ｔ１６を工場出荷時に予め測定し、決定している。
【００６３】
つまり、書き出しタイミング信号の検知用に用いられない光束に対する書き出しタイミング信号は、該書き出しタイミング信号を検出する光束の書き出しタイミング信号を基準に、予め定められている。
【００６４】
図５に本実施例において走査開始位置のタイミングを測定するための測定光学系の主走査方向の模式図を示す。同図において図１に示した要素と同一要素には同符番を付している。
【００６５】
被走査面相当位置の結像光学系ＬＢの光軸Ｌにナイフエッジからなるスリット１３とフォトディテクター(ＰＤ)１４で構成される検知光学系１５を配置する。次に発光部(16)から出射した光束の同期信号に対して発光部(1)から発光部(15)まで出射した光束が検知光学系１５を通過する時間差ｔ１〜ｔ１５を測定する。次に時間ｔ１〜ｔ１６の値を不図示のメモリーに書き込み、画像中心位置における全ビームの書き出し位置が一致するようにする。フォトディテクター１４を結像光学系ＬＢの光軸Ｌと一致させているため、結像光学系ＬＢの倍率色収差の影響を画像書き出し側と画像書き終わり側で振り分けにすることができ、波長差による印字位置ズレを低減できる。
【００６６】
同期信号を発光部(16)で検知してから、各ビームが書き出すまでの時間をｔ１〜ｔ１６とする。時間ｔ１〜ｔ１６は発光部の位置誤差や、光源の波長差及び偏向面の面精度等の部品製造誤差、光学装置に部品を取り付ける際の組み立て誤差によって、走査速度とビーム間隔で算出される理論値に対してずれが生じる。本実施例では、発光部(16)の光束で検知した同期信号から書き出し開始までの遅延時間ｔ１〜ｔ１６を工場出荷時に予め測定することにより、上記誤差の影響を低減し、より高精度な印字位置精度を確保することができる。
【００６７】
本実施例では上記の如く１６個の発光部(1)〜(16)のうち同期検出用センサー１０に入射する光束の光量が最も少ない光量を発する発光部(1)以外の発光部、本実施例では発光部(16)からの光束を検出して書き出しタイミング信号を決定している。
【００６８】
つまり上記書き出しタイミング信号は１６個の発光部(1)〜(16)からの光束のうち、被走査面１２を最も後に走査する発光部(16)からの光束を検出して決定している。
【００６９】
本実施例では被走査面１２上に換算したときの同期検出用光学系ＬＣの書き出しタイミングを検知する像高をＹＢＤ、光源手段１のＮ個の発光部の主走査方向の最大距離をＷとする。さらに入射光学系ＬＡの主走査断面内の焦点距離をｆcol、結像光学系ＬＢの主走査断面内の焦点距離をｆｆθ、被走査面１２上の有効画像幅をＹＷとする。そのとき、
｜ＹＢＤ｜≧Ｗ×ｆｆθ／ｆcol  ＋｜ＹＷ／２｜      ‥‥‥（１）
なる条件を満足させている。
【００７０】
上記条件式（１）は画像の書き出し位置を一致させるための条件である。条件式（１）を逸脱すると、発光部(16)から出射した光束が同期検出用センサー１０に入射する前に発光部(1)から出射した光束が画像書き出し位置に到達してしまい、書き出し位置を一致させることが出来なくなる。
【００７１】
ここで、同期検出用スリット９の中心に向かう光束の光軸からの角度をθＢＤとすると、像高ＹＢＤは
ＹＢＤ＝ｆｆθ×θＢＤ
で表せる。
【００７２】
次に本実施系における上記条件式（１）の各パラメーターの数値例を示す。
【００７３】
θＢＤ＝54deg.
ｆｆθ＝200mm
Ｗ    ＝0.87mm
ｆcol ＝25mm
ＹＷ  ＝335mm
これより上記条件式（１）の左辺の像高｜ＹＢＤ｜及び右辺のＷ×ｆｆθ／ｆcol  ＋｜ＹＷ／２｜は、
左辺＝200×54×π/180＝188.5
右辺＝0.87×200/25+335/2＝174.46
となる。これは上記条件式（１）を満足している。
【００７４】
さらに望ましくは、上記条件式（１）を次の如く設定するのが良い。
【００７５】
｜ＹＢＤ｜≧Ｗ×ｆｆθ／ｆcol  ＋｜ＹＷ／２｜＋｜ＹＷ／１０｜  ‥‥‥（１ａ）
尚、本実施例のように同期検出用レンズ８は個別に設けてもよいが、結像光学系ＬＢの一部を用いてもよい。結像光学系ＬＢの一部を用いた場合は、通常、同期検出用スリット９が感光ドラム面相当位置に配置される。また本実施例では多ビーム化が容易なＶＣＳＥＬ光源を用いているが、他の半導体レーザーを用いても同様の効果を得ることができる。
【００７６】
このように本実施例においては上述した如く１６個の発光部を有する光源手段１を用いた光走査装置において、１個の発光部から出射された光束で書き出しタイミング信号を決定している。そして同期検出用センサー１０へ入射する光束の光量が特定量以上になるように入射光学系ＬＡの各要素を構成している。これにより小径の回転多面鏡を用いて広画角な走査を実現しても、主走査方向の印字位置ずれが生じない、高精細な画像が得られる光走査装置を提供できる。また本装置をカラー画像形成装置に用いる場合は、色ずれのない、高精細なカラー画像が得られるカラー画像形成装置を提供できる。
【００７７】
尚、本実施例では結像光学系ＬＢを２枚のレンズより構成したが、これに限らず、単一、もしくは３枚以上のレンズより構成しても良い。また結像光学系を回折光学素子を含ませて構成しても良い。
【００７８】
また、本実施例では発光部(16)からの光束を用いて同期検知を行なったが、これに限らず、同期検出用センサー１０に入射する光束の光量が最も少ない光量を発する発光部以外の発光部からの光束を検出して書き出しタイミング信号を決定してもよい。
【実施例２】
【００７９】
図６は本発明の実施例２の主走査方向の要部断面図（主走査断面図）である。図６において図１に示した要素と同一要素には同符番を付している。
【００８０】
本実施例において前述の実施例１と異なる点は、
(1)光源手段の構成
(2)画像の印字方向
(3)入射光学系（第１光学手段）の構成
である。その他の構成及び光学的作用は実施例1と同様であり、これにより同様な効果を得ている。
【００８１】
本実施例においては、直線方向のＮ個（Ｎは２以上の整数）の発光部（本実施例では８個）を副走査方向と主走査方向に対して各々傾けて配列した光源手段Ｍ個（Ｍは２以上の整数であり、本実施例では２個の光源手段８０１、８０２）有している。光源手段８０１、８０２は各々モノリシックなマルチ半導体レーザーであるＶＣＳＥＬ（面発光レーザー）より成っている。
【００８２】
図６において８０３、８０４は各々コリメータレンズであり、光源手段８０１、８０２からの発散光を平行光束もしくは発散光束もしくは収束光束に変換している。８０５はビーム合成用プリズムであり、光源手段８０１及び光源手段８０２から出射した光束を合成し、同一の光路で光偏向器８１０へ向かうようにしている。８０６は球面レンズであり、主走査方向の光束幅を拡大させるとともに、被走査面８２０上のピント位置を調整可能に構成している。８０７は絞りであり、副走査方向の光束幅を規制している。８０８はシリンドリカルレンズであり、副走査方向にパワーを有し、副走査方向において偏向面８１０ａに焦線（線像）を形成している。８０９は反射ミラーであり、シリンドリカルレンズ８０８を透過した光束を偏向し、光偏向器８１０に導光し、光走査装置をコンパクトにしている。
【００８３】
尚、光源手段８０１、８０２、コリメータレンズ８０３、８０４、球面レンズ８０６、シリンドリカルレンズ８０８、そして後述する第１、第２の結像レンズ８１１ａ、８１１ｂは第１光学手段としての入射光学系ＬＡの一要素を構成している。
【００８４】
８１０は光偏向器としての回転多面鏡（ポリゴンミラー）であり、矢印Ａ方向に等速度で回転している。光偏向器８１０へ向かう光束は回転多面鏡の偏向面（ファセット）より十分広い光束として回転多面鏡に入射している、所謂オーバーフィルド型の走査系（ＯＦＳ）である。これは高速化と高密度化を達成するためである。
【００８５】
ＬＢは結像光学系であり、第１、第２の結像レンズ(fθレンズ)８１１ａ、８１１ｂを有している。第１、第２の結像レンズ８１１ａ、８１１ｂは共にガラス製の材料より成る球面及びシリンドリカル面で構成されている。結像光学系ＬＢは光偏向器８１０により偏向走査された光束を被走査面としての感光ドラム面８２０上に潜像を形成し、かつ光偏向器の偏向面の面倒れを補償している。また第１、第２の結像レンズ８１１ａ、８１１ｂは入射光学系ＬＡの一部をも構成している。
【００８６】
本実施例では光偏向器８１０に入射する光束（入射光束）が第１、第２の結像レンズ８１１ａ、８１１ｂを通過し、該光偏向器８１０で偏向反射された光束が再度第１、第２の結像レンズ８１１ａ、８１１ｂに入射するダブルパス構成としている。さらに副走査断面内で偏向面８１０ａに入射する光束を偏向面８１０ａの法線に対して特定の角度をもって斜め方向から入射させ、入射光束と偏向光束とを分離している（斜入射光学系）。
【００８７】
８１１cは主に副走査方向にパワーを有するプラスチック製の長尺レンズであり、副走査方向の曲率が主走査方向の高さ（Y）に応じて連続的に変化する面を有している。これは副走査方向の像面湾曲と副走査方向の結像倍率の一様性を確保するためである。
【００８８】
８１２は同期検出用ミラーであり、同期検出用光束を後述する同期信号検出手段８１４側へ反射させている。この同期検出用ミラー８１２は同期信号検出手段８１４へ導かれた光束を折り返すためのものであり、装置全体の小型化を図るために配置されている。
【００８９】
８１３は同期検出用スリットであり、結像光学系ＬＢの結像位置に配置されている。この同期検出用スリット８１３は端部がナイフエッジ状で形成され、主走査方向へ2走査される結像光学系ＬＢにより結像されたスポットが同期信号検出手段８１４面に入射する位置を決めている。
【００９０】
８１４は同期信号検出手段としての同期検出用センサーであり、光偏向器８１０で偏向走査された光束の一部を検出して被走査面８２０上におけるＮ個（８個）の光束の書き出しタイミング信号を生成している。
【００９１】
尚、同期検出用ミラー８１２、同期検出用スリット８１３の各要素は第２光学手段としての同期検出用光学系ＬＣの一要素を構成している。
【００９２】
図７は本発明の実施例２の入射光学系の副走査方向の要部断面図（副走査断面図）である。図７おいて図６に示した要素と同一要素には同符番を付している。
【００９３】
本実施例において、光源手段８０１及び光源手段８０２は夫々８個の発光部(A)〜(H)が副走査方向と主走査方向に対して各々傾けて配列されており、該発光部(A)〜(H)が主走査方向に距離Ｗだけ離れて配置されている。図７では便宜上、光源手段８０１の発光部のみを記述したが、光源手段８０２にも光源手段８０１と同一の構成より成っている。また発光部も発光部(A)と発光部(H)のみを記述したが、その他の発光部(B)から発光部(G)も発光部(A)から発光部(H)までの間にある。
【００９４】
光源手段８０１からの８本の光束はコリメータレンズ８０３、球面レンズ８０６、第１、第２の結像レンズ８１１ａ、８１１ｂにより、主走査方向の光束は平行光束に変換され、光偏向器８１０に入射する。
【００９５】
発光部(A)〜発光部(H)より出射された８本の光束のビーム強度は、図８に示すようなガウシアン形状の分布を呈している。その光束の強度中心３０１はコリメータレンズ８０３及び球面レンズ８０６及び第１、第２の結像レンズ８１１ａ、８１１ｂの後側焦点位置で入射光軸２０４と交差している。そして偏向面８１０a上では発光部(A)から出射された光束のピーク強度と発光部(H)から出射された光束のピーク強度とが距離ΔＬ２だけ離れている。
【００９６】
本実施例の偏向面８１０a上における距離ΔＬ２は、上述したパラメータを用い、かつ第１の結像レンズ８１１ａから後側焦点位置までの距離をｆｉｎｓ、後側焦点位置から偏向面８１０ａまでの距離をＸとする。そのとき、
ΔＬ２＝Ｘ・Ｗ／ｆｉｎｓ＝４．３９ｍｍ
である。従って、発光部(A)の被走査面８２０へ向かう光束の光量は図８に示すように偏向面８１０ａの移動に伴い位置５７ｄから位置５７ｆの変化し、被走査面８２０上では図９に示すように変化する。発光部(H)は発光部(A)と光軸２０４を挟んで反対側に配置されているので、被走査面８２０上の光量の変化は図９に示す発光部(A)と逆になり、マイナス側の像高で光量が高くなる。
【００９７】
図１０は本実施例において偏向面前後の光束の光量変化を示した説明図である。同図において図８に示した要素と同一要素には同符番を付している。
【００９８】
図１０において入射光束８３０はビーム強度４０Ｐに示すようなガウシアン形状に強度分布を有しており、その強度ピーク位置が前述した理由により距離（ΔＬ２／２）だけ光軸２０４から離れた位置を通過する。
【００９９】
偏向走査された光束は、走査開始側４５〜４６と走査終了側４１〜４２で偏向面５７の移動により、光束中のビーム強度４０Ｐが異なる。
【０１００】
本実施例では発光部(A)は発光部(H)に比べ走査開始側の光束の光量が低いので、発光部(H)から出射された光束で同期信号を検知している。発光部(A)〜(G)は設計上のビーム間隔から計算される時間(ｔ１〜ｔ７)で画像の書き出し位置が決定されている。
【０１０１】
本実施例の光源手段８０１のＦＦＰ（半値全角）を１０°とするとΔＬ２＝４．３９mmより、像高における発光部(H)から出射する光束の光量は発光部(A)から出射する光束より２４％高くなっている。これにより発光部(A)から出射する光束で検知する場合に比べ、より安定した同期検知が行える。
【０１０２】
尚、本実施例では光量の最大値に対して40％から99％の範囲内に光量を設定するのが良い。より好ましくは60％から99％、更に好ましくは70％から99％が良い。
光源手段８０２についても同様に、同期検知を行うマイナス像高側で光量が高くなる発光部(H)から出射する光束で同期検知を行い、発光部(A)〜(G)は設計上のビーム間隔から計算される時間(ｔ１〜ｔ７)で画像の書き出し位置が決定されている。
【０１０３】
本実施例では、光源手段８０１と光源手段８０２は同一の同期検出用センサー８１４で同期検知が行なわれる。
【０１０４】
このように本実施例では８個の発光部(A)〜(H)のうち同期検出用センサー814に入射する光束の光量が最も少ない光量を発する発光部(A)以外の発光部、本実施例では発光部(H)からの光束を検出して書き出しタイミング信号を決定している。
【０１０５】
つまり上記書き出しタイミング信号は８個の発光部(A)〜(H)からの光束のうち、被走査面820を最も後に走査する発光部(H)からの光束を検出して決定している。
【０１０６】
本実施例における光走査装置の設計値を表−２に示す。
【０１０７】
【表２】
2008225060.tif 000005
【０１０８】
次に本実施例における前記条件式（１）の各パラメーターの数値例を示す。
【０１０９】
θＢＤ＝28deg.
ｆｆθ＝345mm
Ｗ＝0.8mm
ｆcol＝110.2mm
ＹＷ＝310mm
これより前記条件式（１）の左辺の像高｜ＹＢＤ｜及び右辺のＷ×ｆｆθ／ｆcol  ＋｜ＹＷ／２｜は、
左辺＝345×28×π/180＝168.6
右辺＝1×345/110.2+310/2＝158.1
となる。これは前記条件式（１）を満足している。
【０１１０】
このように本実施例では上述の如く８×２個の発光部を有する光走査装置において、２個の光束で書き出しタイミング信号を決定し、同期検出用センサーへ入射する光束の光量が最も高い光束で同期検知を行っている。これにより本実施例ではＮ×Ｍ個の発光部を有する光走査装置においても、主走査方向の印字位置ずれが生じない、高精細な画像が得られる光走査装置を提供できる。また本装置をカラー画像形成装置に用いる場合は、色ずれのない、高精細なカラー画像が得られるカラー画像形成装置を提供できる。
【実施例３】
【０１１１】
図１１は本発明の実施例３の主走査方向の要部断面図（主走査断面図）、図１２は図１１に示した光源手段の拡大説明図である。図１１、図１２において図１に示した要素と同一要素には同符番を付している。
【０１１２】
本実施例において前述の実施例１と異なる点は、
(1)光源手段の構成
(2)回転多面鏡の面数と外接円径
(3)画像の印字方向
である。その他の構成及び光学的作用は実施例1と同様であり、これにより同様な効果を得ている。
【０１１３】
本実施例における光走査装置の設計値を表−３に示す。
【０１１４】
【表３】
2008225060.tif 000006
【０１１５】
本実施例の光走査装置は光偏向器（回転多面鏡）９５を挟み２つの結像光学系１９６ａ，１９６ｂを備え、夫々の結像光学系１９６ａ，１９６ｂへＮ本の光束（本実施例では６４本）を入射させて１つの光偏向器９５により同時にＮ本の光束を反射偏向する。そしてしＮ本の光束を夫々に対応した感光ドラム面９９ａ,９９ｂに導光し、該感光ドラム面９９ａ,９９ｂ上を光走査するタンデム型の光走査装置である。
【０１１６】
図中、Ｓ１，Ｓ２は各々第１、第２の走査ユニット（以下、「ステーション」または「走査光学系」とも称す。）である。
【０１１７】
以下、第１、第２の走査ユニットＳ１，Ｓ２の各部材については第１の走査ユニットＳ１を中心に述べる。そして第２の走査ユニットＳ２の各部材のうち第１の走査ユニットＳ１と同じ部材については括弧を付して示す。
【０１１８】
第１（第２）の走査ユニットＳ１（Ｓ２）は、各々光源手段９１ａ（９１ｂ）からの発散光束を平行光束に変換するコリメータレンズ９２ａ（９２ｂ）と、副走査方向にのみ屈折力を有するシリンドリカルレンズ９３ａ（９３ｂ）を有している。さらに入射光束を規制する開口絞り９４ａ（９４ｂ）と、偏向手段としての１つの光偏向器９５と、光偏向器９５からの光束を被走査面９９ａ（９９ｂ）にスポットに形成する結像光学系１９６ａ（１９６ｂ）とを有している。
【０１１９】
本実施例における光源手段９１ａ（９１ｂ）はＮ個（Ｎは２以上の整数）の発光部を主走査方向と副走査方向に対して各々傾けて配列した光源部Ｕを副走査方向にＳ個（Ｓは２以上の整数）配列したＶＣＳＥＬ(面発光レーザー)より成っている。本実施例における光源手段９１ａ（９１ｂ）は図１２に示すように主走査方向に８個、副走査方向に８個の計６４個の発光部を副走査・主走査方向に対して各々傾けて２次元に配列している。
【０１２０】
また本実施例においてコリメータレンズ９２ａ（９２ｂ）、開口絞り、シリンドリカルレンズ９３ａ（９３ｂ）の光軸は、全て主光線に対して直交するように配置されている。つまり副走査断面内で２．２deg傾けて配置している。
【０１２１】
結像光学系１９６ａ（１９６ｂ）は共に集光機能とｆθ特性とを有し、第１、第２の結像レンズ９６ａ、９６ｂ（９６ｃ、９６ｄ）より成っている。
【０１２２】
第１、第２の結像レンズ９６ａ、９６ｂ（９６ｃ、９６ｄ）は、副走査方向のピント補正(像面湾曲補正)と結像レンズにおける副走査方向の倍率の一様性(スポット径の像高による変動)を補正している。このために最も被走査９９ａ（９９ｂ）側の第２の結像レンズ９６ｂ（９６ｄ）(Ｇ２レンズ)の被走査面９９ａ（９９ｂ）側の面(ｒ４面)の副走査方向の曲率半径を連続的に変化させている。
【０１２３】
通常、副走査方向の曲率半径を少なくとも２面変化させて、両者を補正しているが、本実施例では、主走査方向の形状で倍率の一様性が補正されるように構成しているため、一面のみ変化させることで像面湾曲を補正している。
【０１２４】
本実施例の第１、第２の結像レンズ９６ａ、９６ｂ（９６ｃ、９６ｄ）は、プラスチックレンズで作製されており、成形上有利なように主走査方向の形状が、走査開始側と終了側で対象に構成されている。さらに副走査方向の曲率半径は少なくとも１面が連続的に変化しており、像面湾曲、波面収差、スポット径の変動を補正している。さらに本実施例では副走査方向に斜入射で光束が偏向面へ入射しているために発生する走査線湾曲と波面収差の劣化をＧ２レンズ９６ｂ（９６ｄ）の偏芯（Ｚ方向に２．７４mmシフト）により補正している。
【０１２５】
９７は同期検出用レンズであり、感光ドラム面９９ａ（９９ｂ）上の走査開始位置のタイミングを決定するための同期検出用光束を主走査断面内及び副走査断面内において共に同期検出用スリット９８面上に結像させている。本実施例における同期検出用レンズ９７は主走査方向と副走査方向とで互いに屈折力の異なるアナモフィックレンズで構成されている。
【０１２６】
１９８は同期信号検出手段としての同期検出用センサーであり、光偏向器９５で偏向走査された光束の一部を検出して被走査面９９ａ（９９ｂ）上における６４個の光束の書き出しタイミング信号を生成している。
【０１２７】
本実施例においては第１、第２の走査ユニットＳ１，Ｓ２が同一の光偏向器９５を併用しており、かつ第１、第２の走査ユニットＳ１，Ｓ２は、該光偏向器９５の異なった偏向面で偏向走査した光束を用いている。
【０１２８】
また本実施例においては第１（第２）の走査ユニットＳ１（Ｓ２）の被走査面としての感光ドラム面９９ａ（９９ｂ）への書き出しタイミングを、光偏向器９５の偏向面からの光束を同期検出用センサー１９８で検出している。そして同期検出用センサー１９８からの信号を用いて感光ドラム面９９ａ（９９ｂ）への書き出しタイミングを決定している。
【０１２９】
本実施例においては、まず第１のステーションＳ１において、画像情報に応じて光源手段９１ａから光変調され出射した６４本の光束がコリメータレンズ９２ａにより平行光束に変換され、シリンドリカルレンズ９３ａに入射する。シリンドリカルレンズ９３aに入射した光束のうち主走査断面内においてはそのままの状態で出射し、開口絞り９４ａにより規制される。また副走査断面内においては収束して開口絞り９４ａにより規制され，光偏向器９５の偏向面５ａに対し斜め方向から角度２．２degをもって入射（斜入射）し、線像（主走査方向に長手の線像）として結像する。そして光偏向器９５の偏向面で反射偏向された６４本の光束は結像光学系１９６ａにより感光ドラム面９９a上にスポット状に結像される。そして光偏向器９５を矢印Ａ方向に回転させることによって、感光ドラム面９９ａ上を矢印Ｂ方向（主走査方向）に等速度で光走査している。これにより記録媒体である感光ドラム面９９a上に画像記録を行っている。
【０１３０】
このとき感光ドラム面９９a上を光走査する前に感光ドラム面９９a上の走査開始位置のタイミングを調整する為に、光偏向器９５の偏向面で反射偏向された光束の一部（同期検出用光束）を同期検出用レンズ９７により同期検知用スリット９８面上に集光させる。その後、同期検知用スリット９８面上に集光させた光束を同期検出用センサー１９８に導光している。そして同期検出用センサー１９８からの出力信号を検知して得られた書き出し位置検知信号（同期信号）を用いて感光ドラム面９９a上への画像記録の走査開始位置のタイミングを調整している。
【０１３１】
第２のステーションＳ２においては、光源手段９１ｂから出射した６４本の光束が第１の走査ユニットＳ１の入射方向と同一方向から光偏向器９５の偏向面に入射する。そして偏向面で反射偏向された６４本の光束が結像光学系１９６ｂにより感光ドラム面９９ｂ上にスポット状に結像され、光走査される。これにより２つの感光ドラム面９９ａ,９９ｂ上に夫々走査線を形成し、画像記録を行っている。
【０１３２】
次に本実施例における同期検知について説明する。
【０１３３】
本実施例の同期検知は図１２に示すように副走査方向に配列される８個の発光部で構成されるグループＧｒ１で行っている。グループＧｒ１は発光部を８個、副走査方向に１列に配列しているので、グループＧｒ１内の８個の発光部からの光束は、同時に同期検出用スリット９８を横切る。このとき、グループＧｒ１内の発光部を同時に発光させる。これにより１個の発光部のみで同期検知を行うより光量を稼ぐことができる。更にグループＧｒ８で行う場合に比べ、偏向面での光束のケラレ量が小さいため、より安定して同期検知を行うことができる。
【０１３４】
図１３は本発明の実施例３の光偏向器周辺を拡大した主走査断面図であり、同期検出用光学系ＬＣへ向かう光束と光偏向器の偏向面との関係を示している。同図において図１１に示した要素と同一要素には同符番を付している。
【０１３５】
図１３において、第２の開口絞り９４ａは軸上偏向点９５Ｋから５０mmの位置に配置されており、主走査方向の光束幅を４．８mmに規制すると共に、複数光束が偏向面上で主走査方向に離間しないように配置している。
【０１３６】
９５ｇは結像光学系ＬＢの光軸を通る光線を偏向するときの光偏向器９５の偏向状態を示しており、９５ｈは同期検出用レンズ９７及び同期検出用スリット９８へ光線を偏向する際の偏向面の状態を示している。
【０１３７】
偏向面９５ｈの端部９５Ｊに向かうグループＧｒ１からの光束はコリメータレンズ９２ａの光軸に対して主走査方向に１．１５degだけ角度を持つ。そのため、グループＧｒ８で同期検知を行った場合に比べ、光線のケラレ量が少なくなり最も光量が高い状態で同期検知を行うことができ、安定した同期検知が可能になる。
【０１３８】
図１４は本実施例のタイミングチャートである。図１４においては同期信号と走査開始位置のタイミングとの関係を示している。
【０１３９】
本実施例の同期タイミングは実施例１と同様に、工場出荷時に測定している。走査速度とビーム間隔で算出される理論上の時間ｔ１〜ｔ８は、発光部の位置誤差や、光源の波長差及び偏向面の面精度の部品製造誤差と、光学装置に部品を取り付ける際の組み立て誤差によってずれが生じる。本実施例のように時間ｔ２〜ｔ８の値を出荷時に予め測定することにより、上記誤差はキャンセルされ、より高精度な印字位置精度を確保することができる。
【０１４０】
本実施例では８個のグループ(Gr1)〜(Gr8)のうち同期検出用センサーに入射する光束の光量が最も少ない光量を発するグループ(Gr8)以外のグループ、本実施例ではグループ(Gr1)からの光束を検出して書き出しタイミング信号を決定している。
【０１４１】
つまり上記書き出しタイミング信号は８個のグループ(Gr1)〜(Gr8)からの光束のうち、被走査面198を最も後に走査するグループ(Gr1)からの光束を検出して決定している。
【０１４２】
次に本実施例における前記条件式（１）の各パラメーターの数値例を示す。
【０１４３】
θＢＤ＝57deg.
ｆｆθ＝213mm
Ｗ＝1mm
ｆcol＝25mm
ＹＷ＝310mm
これより前記条件式（１）の左辺の像高｜ＹＢＤ｜及び右辺のＷ×ｆｆθ／ｆcol  ＋｜ＹＷ／２｜は、
左辺＝213×57×π/180＝211.9
右辺＝1×213/25+310/2＝155.84
となる。これは前記条件式（１）を満足している。
【０１４４】
前記条件式（１）を満たさない場合は、グループＧｒ１から出射した光束が同期検出用センサー１９８に入射する前にグループＧｒ８から出射した光束が画像書き出し位置に到達してしまい、書き出し位置を一致させることが出来なくなる。
【０１４５】
このように本実施例においては上述した如く２次元に配列された６４個の発光部を有する光源手段を有する光走査装置において、副走査方向に並ぶ８個の発光部で構成される１グループ群で書き出しタイミング信号を決定している。そして同期検出用センサー１９８へ入射する光量が特定量以上になるように入射光学系ＬＡの各要素を構成している。これにより小径の回転多面鏡を用いて広画角の走査を実現しても、主走査方向の印字位置ずれが生じない、高精細な画像が得られる光走査装置を提供できる。また本装置をカラー画像形成装置に用いる場合は、色ずれのない、高精細なカラー画像が得られるカラー画像形成装置を提供できる。
【０１４６】
尚、本実施例の光源手段は、これに限らず、前記実施例1又は２で示した光源手段であっても良い。またその逆に本実施例の光源手段を実施例1又は２の光源手段として用いても良い。
【実施例４】
【０１４７】
図１５は本発明の実施例４の主走査方向の要部断面図（主走査断面図）、図１６は図１５に示した光源手段５１の模式図である。図１５、図１６において図１に示した要素と同一要素には同符番を付している。
【０１４８】
本実施例において前述の実施例１と異なる点は、
(1)回転多面鏡の面数、
(2)画像の印字方向、
(3)光源手段の構成、
である。その他の構成及び光学的作用は実施例1と同様であり、これにより同様な効果を得ている。
【０１４９】
本実施例における光走査装置の設計値を表−４に示す。
【０１５０】
【表４】
2008225060.tif 000007
【０１５１】
図中、５１は光源手段であり、６個の発光部(511)〜(516)を有する６ビーム半導体レーザーであるＶＣＳＥＬ（面発光レーザー）より成っている。各発光部(511)〜(516)は、六角形の頂点に配置されており、全発光部がコリメータレンズの光軸（図中０を通り、紙面に垂直な軸）から等距離に配置されている。これは光学系を構成するレンズの収差の影響が全ビームで同等になり、非対称性が発生しづらくするためである。
【０１５２】
５２はコリメータレンズであり、光源手段５１より出射された光束を平行光束に変換している。５３はシリンドリカルレンズであり、主走査断面内のみに特定のパワーを有しており、被走査面５０上のピント位置を調整可能にしている。５４はアナモフィックレンズであり、主走査断面内において負（凹）のパワーを有しており、また副走査断面内において正（凸）のパワーを有している。アナモフィックレンズ５４は副走査断面内において回転多面鏡５６の偏向面に焦線（線像）を形成するとともに、主走査断面内において光束幅を広げるとともに波面収差を補正し、被走査面５０上のスポット形状を良好に補正している。
【０１５３】
５５は装置全体をコンパクトにするための反射ミラーであり、アナモフィックレンズ４を通過した光束を主走査方向に対して偏向させて、回転多面鏡５６に導いている。
【０１５４】
尚、コリメータレンズ５２、シリンドリカルレンズ５３、アナモフィックレンズ５４、そして後述する第１の結像レンズ５７ａの各要素は第１光学手段としての入射光学系ＬＡの一要素を構成している。
【０１５５】
５６は偏向面が１０面より成る偏向手段としての回転多面鏡（ポリゴンミラー）であり、モーターより成る駆動手段（不図示）により図中矢印Ａ方向に一定速度で回転している。
【０１５６】
ＬＢは結像光学系（ｆθレンズ系）であり、主走査断面内において共に非球面形状より成る第１、第２の結像レンズ(アナモフィックレンズとしてのｆθレンズ)５７ａ、５７ｂより成っている。結像光学系ＬＢは回転多面鏡５６によって反射偏向された画像情報に基づく光束を主走査断面内において被走査面としての感光ドラム面５０上にスポットに結像させている。かつ副走査断面内において回転多面鏡５６の偏向面と感光ドラム面５０との間を光学的に共役関係にすることにより、偏向面の面倒れを補償している。第１の結像レンズ５７ａは入射光学系ＬＡの一部をも構成している。
【０１５７】
また本実施例では回転多面鏡５６に入射する光束(入射光束)が第１の結像レンズ５７ａを通過し、該回転多面鏡５６で偏向された光束(走査光束)が再度第１の結像レンズ５７ａに入射するダブルパス構成としている。
【０１５８】
５０は被走査面としての感光ドラム面である。
【０１５９】
本実施例において、半導体レーザー５１から光変調され出射したＮ本の光束はコリメータレンズ５２によって平行光束に変換され、シリンドリカルレンズ５３によって一度収束光束に変換されてアナモフィックレンズ５４に入射している。アナモフィックレンズ５４に入射した光束のうち、副走査断面内における光束は収束して第１の結像レンズ５７ａを通過（ダブルパス構成）して回転多面鏡５６の偏向面に入射し、該偏向面に線像（主走査方向に長手の線像）として結像している。
【０１６０】
このとき偏向面に入射する光束を副走査断面内において、回転多面鏡５６の偏向面の法線に対して特定の角度をもって斜め方向から入射させている（斜入射光学系）。
【０１６１】
一方、主走査断面内における６本の光束は発散して第１の結像レンズ５７ａを通過することによって平行光束に変換され、回転多面鏡５６の偏向角の中央から偏向面に入射している（正面入射）。このときの平行光束の光束幅は主走査方向において回転多面鏡５６の偏向面のファセット幅に対して十分広くなるように設定している（OFS系）。
【０１６２】
そして偏向面で偏向反射された６本の光束は第１、第２の結像レンズ５７ａ、５７ｂを介して感光ドラム面５０に導光され、該回転多面鏡５６を矢印Ａ方向に回転させることによって、該感光ドラム面５０上を矢印Ｂ方向（主走査方向）に光走査している。これにより記録媒体としての感光ドラム面５０上に画像記録を行っている。
【０１６３】
このとき感光ドラム面５０上を光走査する前に該感光ドラム面５０上の走査開始位置のタイミングを決定する為に、光偏向器５６で反射偏向された光束を同期検出用ミラー５７を介して同期検出用レンズ６０により同期検出用スリット６１面上に集光させる。そして同期検出用スリット６１面上に集光させた同期検出用光束を同期検出用センサー６２に導光している。そして同期検出用センサー６２からの出力信号を検知して得られた同期信号を用いて感光ドラム面５０上への画像記録の走査開始位置のタイミング信号を決定している。
【０１６４】
図１７は本発明の実施例４の光偏向器周辺を拡大した主走査断面図であり、同期検出用センサーへ向かう光束と光偏向器の偏向面との関係を示している。
【０１６５】
図１７において、４００は入射光学系ＬＡの光軸を示している。入射光学系ＬＡからの光束は、光偏向器５６の偏向面の主走査方向の幅より広い状態で入射している。４０１は光源手段５１の発光部(1)からの光束である。４０２は同期検出用光束であり、光束幅（光線４０２ａと光線４０２ｂの幅）は５．０mmである。また同期検出用光束４０２の偏向角は３５．８２degである。同期検出用光束４０２は上記図１６に示す如く同期検出用ミラー５９、同期検出用レンズ６０を通過して同期検出用スリット６１に結像する。
【０１６６】
本実施例では前述の実施例２と同様に最も光量低下の少ない発光部(511)からの光束で同期検知を行っており、検知タイミングは前述した実施例１と同様の構成で行っている。つまり最も主走査方向の後方に位置する発光部(511)からの光束で同期検知を行なっている。
【０１６７】
本実施例の偏向面上における発光部(511)からの光束のピーク強度と発光部(514)からの光束のピーク強度との距離ΔＬ２は、
ΔＬ２＝Ｘ・Ｗ／ｆｉｎｓ＝１３．５３ｍｍ
である。
【０１６８】
光源手段５１のＦＦＰ（半値全角）を１０°とすると像高における発光部(511)からの光束の光量は発光部(514)から出射した光束より５．８倍高くなっており、発光部(514)から出射した光束で検知する場合に比べ、より安定した同期検知が行える。
【０１６９】
次に本実施例における前記条件式（１）の各パラメーターの数値例を示す。
【０１７０】
θＢＤ＝35.82deg.
ｆｆθ＝275.46mm
Ｗ＝2mm
ｆcol＝71.7mm
ＹＷ＝304mm
これより前記条件式（１）の左辺の像高｜ＹＢＤ｜及び右辺のＷ×ｆｆθ／ｆcol  ＋｜ＹＷ／２｜は、
左辺＝275.46×35.82×π/180＝172.21
右辺＝2×275.46/71.7+304/2＝159.7
となる。これは前記条件式（１）を満足している。
【０１７１】
前記条件式（１）を満たさない場合は、発光部(511)から出射した光束が同期検出用センサー６２に入射する前に発光部(514)から出射した光束が画像書き出し位置に到達してしまい、書き出し位置を一致させることができなくなる。
【０１７２】
このように本実施例においては上述した如く６個の発光部を有する光源手段５１を用いた光走査装置において、各発光部を光軸から等距離に配置して、各発光部の光学特性が均一になるように配列して、最も光量低下の少ない光束で同期検知を行っている。さらに同期検出用センサー６２へ入射する光束の光量が特定量以上になるように、入射光学系ＬＡの各要素を構成している。これにより小径の回転多面鏡を用いて広画角の走査を実現しても、主走査方向の印字位置ずれが生じない、高精細な画像が得られる光走査装置を提供できる。また本装置をカラー画像形成装置に用いる場合は、色ずれのない、高精細なカラー画像が得られるカラー画像形成装置を提供できる。
【０１７３】
尚、本実施例の光源手段は、これに限らず、前記実施例1又は２又は３で示した光源手段であっても良い。またその逆に本実施例の光源手段を実施例1又は２又は３の光源手段として用いても良い。
【０１７４】
図１８は図１５に示した光走査装置を複数個用いた画像形成装置（カラー画像形成装置）の副走査方向の要部断面図（副走査断面図）である。
【０１７５】
本実施例における画像形成装置は同一の回転多面鏡５６と、該回転多面鏡５６を２つのステーションで共用して用いた４つの光走査装置（ステーション）Ｓ１,Ｓ２,Ｓ３,Ｓ４より構成されている。そして同一の回転多面鏡５６によって異なる被走査面としての感光ドラム面５０ａ，５０ｂ，５０ｃ，５０ｄ上を走査し、多重現像によってカラー画像を形成している。
【０１７６】
図１８では２つの回転多面鏡５６を図示しているが、該回転多面鏡５６は、上下２段に構成され、該回転多面鏡５６の互いに異なった偏向面に各々６本の光束を反射偏向している。
【０１７７】
図１８において、５６は共通の偏向手段としての回転多面鏡（ポリゴンミラー）であり、モーターより成る駆動手段（不図示）により特定方向に一定速度で回転している。５７ａは各ステーションに設けられた第１の結像レンズ、５７ｂは同じく各ステーションに設けられた第２の結像レンズである。本実施例ではこの第１、第２の２枚の結像レンズ５７ａ，５７ｂで各ステーションＳ１,Ｓ２,Ｓ３,Ｓ４の結像光学系を構成している。
【０１７８】
５８ａはステーションＳ１に配された反射ミラー、５８ｂ、５８ｃはステーションＳ２に配された反射ミラー、５８ｄはステーションＳ３に配された反射ミラー、５８ｅ，５８ｆはステーションＳ４に配された反射ミラーである。これら反射ミラー５８ａ〜５８ｆは回転多面鏡５６から被走査面５０ａ〜５０ｄまでの間の光路中の第２の結像レンズ５７ｂより回転多面鏡５６側に配置されている。
【０１７９】
５０ａ，５０ｂ，５０ｃ，５０ｄはそれぞれ各ステーションＳ１,Ｓ２,Ｓ３,Ｓ４に対応する被走査面としての感光ドラム面である。
【０１８０】
本実施例における画像形成装置はステーション（光走査装置）を複数用いて構成しており、回転多面鏡のファセット上で副走査方向に光束を分離させることで、第１の結像レンズ５７ａを通過した光束を異なる被走査面に分離、導光しやすい構成としている。また第１の結像レンズ５７ａを２つのステーションＳ１,Ｓ２(Ｓ３,Ｓ４)で共用しているため、レンズ枚数を少なくすることが可能となり、装置全体の簡素化が図れる。
【０１８１】
本実施例において前述の実施例２で示したようにＯＦＳ光学系で多ビーム光源を用いた場合は、入射光学系ＬＡの光軸と光束の強度中心位置が離れ、その離れ量が入射光学系の後側焦点位置から偏向面までの距離に比例して大きくなる。
【０１８２】
［画像形成装置］
図１９は、本発明の画像形成装置の実施例を示す副走査方向の要部断面図である。図において、符号１０４は画像形成装置を示す。この画像形成装置１０４には、パーソナルコンピュータの外部機器１１７からコードデータDｃが入力する。このコードデータDｃは、装置内のプリンタコントローラ１１１によって、画像データ（ドットデータ）Dｉに変換される。この画像データDｉは、実施例１又は２に示した構成を有する光走査ユニット１００に入力される。そして、この光走査ユニット１００からは、画像データDｉに応じて変調された光ビーム１０３が出射され、この光ビーム１０３によって感光ドラム１０１の感光面が主走査方向に走査される。
【０１８３】
静電潜像担持体（感光ドラム）たる感光ドラム１０１は、モーター１１５によって時計廻りに回転させられる。そして、この回転に伴って、感光ドラム１０１の感光面が光ビーム１０３に対して、主走査方向と直交する副走査方向に移動する。感光ドラム１０１の上方には、感光ドラム１０１の表面を一様に帯電せしめる帯電ローラ１０２が表面に当接するように設ケラレている。そして、帯電ローラ１０２によって帯電された感光ドラム１０１の表面に、前記光走査ユニット１００によって走査される光ビーム１０３が照射されるようになっている。
【０１８４】
先に説明したように、光ビーム１０３は、画像データDｉに基づいて変調されており、この光ビーム１０３を照射することによって感光ドラム１０１の表面に静電潜像を形成せしめる。この静電潜像は、上記光ビーム１０３の照射位置よりもさらに感光ドラム１０１の回転方向の下流側で感光ドラム１０１に当接するように配設された現像器１０７によってトナー像として現像される。
【０１８５】
現像器１０７によって現像されたトナー像は、感光ドラム１０１の下方で、感光ドラム１０１に対向するように配設された転写ローラ１０８によって被転写材たる用紙１１２上に転写される。用紙１１２は感光ドラム１０１の前方（図１９において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。
【０１８６】
以上のようにして、未定着トナー像を転写された用紙１１２はさらに感光ドラム１０１後方（図１９において左側）の定着器へと搬送される。定着器は内部に定着ヒータ（図示せず）を有する定着ローラ１１３とこの定着ローラ１１３に圧接するように配設された加圧ローラ１１４とで構成されている。そして転写部から搬送されてきた用紙１１２を定着ローラ１１３と加圧ローラ１１４の圧接部にて加圧しながら加熱することにより用紙１１２上の未定着トナー像を定着せしめる。更に定着ローラ１１３の後方には排紙ローラ１１６が配設されており、定着された用紙１１２を画像形成装置の外に排出せしめる。
【０１８７】
図１９においては図示していないが、プリントコントローラ１１１は、先に説明したデータの変換だけでなく、モーター１１５を始め画像形成装置内の各部や、光走査ユニット内のモーターの制御を行う。
【０１８８】
本発明で使用される画像形成装置の記録密度は、限定されない。しかし、記録密度が高くなればなるほど、高画質が求められることを考えると、１２００ｄｐｉ以上の画像形成装置において本発明の実施例１〜２の構成はより効果を発揮する。
【０１８９】
［カラー画像形成装置］
図２０は本発明の実施例のカラー画像形成装置の要部概略図である。本実施例は、光走査装置（光結像光学系）を４個並べ各々並行して像担持体である感光ドラム面上に画像情報を記録するタンデムタイプのカラー画像形成装置である。図２０において、５６０はカラー画像形成装置、５６１，５６２，５６３，５６４は各々実施例１又は２の構成を有する光走査装置である。５２１，５２２，５２３，５２４は各々像担持体としての感光ドラム、５３１，５３２，５３３，５３４は各々現像器、５５１は搬送ベルトである。尚、図２０においては現像器で現像されたトナー像を被転写材に転写する転写器（不図示）と、転写されたトナー像を被転写材に定着させる定着器（不図示）とを有している。
【０１９０】
図２０において、カラー画像形成装置５６０には、パーソナルコンピュータの外部機器５５２からＲ（レッド）、Ｇ（グリーン）、Ｂ（ブルー）の各色信号が入力する。これらの色信号は、装置内のプリンタコントローラ５５３によって、Ｃ（シアン），Ｍ（マゼンタ），Ｙ（イエロー）、Ｂ（ブラック）の各画像データ（ドットデータ）に変換される。これらの画像データは、それぞれ光走査装置５６１，５６２，５６３，５６４に入力される。そして、これらの光走査装置からは、各画像データに応じて変調された光ビーム５４１，５４２，５４３，５４４が射出され、これらの光ビームによって感光ドラム５２１，５２２，５２３，５２４の感光面が主走査方向に走査される。
【０１９１】
本実施例におけるカラー画像形成装置は光走査装置（５６１，５６２，５６３，５６４）を４個並べ、各々がＣ（シアン），Ｍ（マゼンタ），Ｙ（イエロー）、Ｂ（ブラック）の各色に対応している。そして各々平行して感光ドラム５２１，５２２，５２３，５２４面上に画像信号（画像情報）を記録し、カラー画像を高速に印字するものである。
【０１９２】
本実施例におけるカラー画像形成装置は上述の如く４つの光走査装置５６１，５６２，５６３，５６４により各々の画像データに基づいた光ビームを用いて各色の潜像を各々対応する感光ドラム５２１，５２２，５２３，５２４面上に形成している。その後、記録材に多重転写して１枚のフルカラー画像を形成している。
【０１９３】
前記外部機器５５２としては、ＣＣＤセンサを備えたカラー画像読取装置が用いられても良い。この場合には、このカラー画像読取装置と、カラー画像形成装置５６０とで、カラーデジタル複写機が構成される。
【０１９４】
［カラー画像形成装置］
図２１は本発明の実施例のカラー画像形成装置の要部概略図である。図２１において図２０に示した要素と同一要素には同符番を付している。図２１において、５１１は実施例４の構成を有する光走査装置である。尚、図２１においては現像器で現像されたトナー像を被転写材に転写する転写器（不図示）と、転写されたトナー像を被転写材に定着させる定着器（不図示）とを有している。
【０１９５】
図２１において、カラー画像形成装置５６０には、パーソナルコンピュータの外部機器５５２からＲ（レッド）、Ｇ（グリーン）、Ｂ（ブルー）の各色信号が入力する。これらの色信号は、装置内のプリンタコントローラ５５３によって、Ｃ（シアン），Ｍ（マゼンタ），Ｙ（イエロー）、Ｂ（ブラック）の各画像データ（ドットデータ）に変換される。これらの画像データは、光走査装置５１１に入力される。そして、この光走査装置からは、各画像データに応じて変調された光ビーム５４１，５４２，５４３，５４４が射出され、これらの光ビームによって感光ドラム５２１，５２２，５２３，５２４の感光面が主走査方向に走査される。
【０１９６】
本実施例におけるカラー画像形成装置は１つの光走査装置５１１から各々がＣ（シアン），Ｍ（マゼンタ），Ｙ（イエロー）、Ｂ（ブラック）の各色に対応している。そして各々平行して感光ドラム５２１，５２２，５２３，５２４面上に画像信号（画像情報）を記録し、カラー画像を高速に印字するものである。
【０１９７】
本実施例におけるカラー画像形成装置は上述の如く１つの光走査装置５１１により各々の画像データに基づいた光ビームを用いて各色の潜像を各々対応する感光ドラム５２１，５２２，５２３，５２４面上に形成している。その後、記録材に多重転写して１枚のフルカラー画像を形成している。
【０１９８】
前記外部機器５５２としては、ＣＣＤセンサを備えたカラー画像読取装置が用いられても良い。この場合には、このカラー画像読取装置と、カラー画像形成装置５６０とで、カラーデジタル複写機が構成される。
【図面の簡単な説明】
【０１９９】
【図１】本発明の実施例１の主走査断面図
【図２】本発明の実施例１の光源手段を示す図
【図３】本発明の実施例１の主要部分の拡大図
【図４】本発明の実施例１の書き出し位置決定のタイミングチャート
【図５】本発明の実施例１の書き出し位置測定方法を示す模式図
【図６】本発明の実施例２の主走査断面図
【図７】本発明の実施例２の入射光学系系の模式図
【図８】本発明の実施例２のカップリングの説明図
【図９】本発明の実施例２の像高における光量を示す図
【図１０】本発明の実施例２の入射光学系の拡大図
【図１１】本発明の実施例３の主走査断面図
【図１２】本発明の実施例３の光源手段の拡大図
【図１３】本発明の実施例３の主要部分の拡大図
【図１４】本発明の実施例３の書き出し位置決定のタイミングチャート
【図１５】本発明の実施例４の主走査断面図
【図１６】本発明の実施例４の光源手段を示す図
【図１７】本発明の実施例４の主要部分の拡大図
【図１８】本発明の実施例４の副走査断面図
【図１９】本発明の画像形成装置の実施例を示す副走査断面図
【図２０】本発明の実施例のカラー画像形成装置の要部概略図
【図２１】本発明の実施例のカラー画像形成装置の要部概略図
【符号の説明】
【０２００】
１  光源手段
２  開口絞り
３  集光レンズ（コリメータレンズ）
４  シリンドリカルレンズ
５  開口絞り
ＬＡ  第１光学手段(入射光学系)
６  偏向手段
ＬＢ  結像光学系
１１ａ，１１ｂ  結像レンズ
７  同期検出用ミラー
８  同期検出用レンズ
９  同期検出用スリット
１０  同期信号検出手段
１２  被走査面（感光ドラム面）
ＬＣ  第２光学手段(同期検出用光学系)
５１１、５６１，５６２，５６３，５６４  光走査装置
５２１、５２２、５２３、５２４  像担持体（感光ドラム）
５３１、５３２、５３３、５３４  現像器
５４１、５４２、５４３、５４４  光ビーム
５５１  搬送ベルト
５５２  外部機器
５５３  プリンタコントローラ
５６０  カラー画像形成装置
１００  光走査装置
１０１  感光ドラム
１０２  帯電ローラ
１０３  光ビーム
１０４  画像形成装置
１０７  現像装置
１０８  転写ローラ
１０９  用紙カセット
１１０  給紙ローラ
１１１  プリンタコントローラ
１１２  転写材（用紙）
１１３  定着ローラ
１１４  加圧ローラ
１１５  モーター
１１６  排紙ローラ
１１７  外部機器
【図３】
2008225060.tif 000008
【図６】
2008225060.tif 000009
【図１０】
2008225060.tif 000010
【図１５】
2008225060.tif 000011
【図１】
2008225060.tif 000012
【図２】
2008225060.tif 000013
【図４】
2008225060.tif 000014
【図５】
2008225060.tif 000015
【図７】
2008225060.tif 000016
【図８】
2008225060.tif 000017
【図９】
2008225060.tif 000018
【図１１】
2008225060.tif 000019
【図１２】
2008225060.tif 000020
【図１３】
2008225060.tif 000021
【図１４】
2008225060.tif 000022
【図１６】
2008225060.tif 000023
【図１７】
2008225060.tif 000024
【図１８】
2008225060.tif 000025
【図１９】
2008225060.tif 000026
【図２０】
2008225060.tif 000027
【図２１】
2008225060.tif 000028